(57)【要約】【課題】  接続する機器を容易に変更することが可能な携帯情報端末を提供する。【解決手段】  端末本体と、該端末本体に対して着脱可能な携帯情報端末用接続機器とからなる携帯情報端末であって、端末本体は、近距離の無線通信を使用して情報通信を行う第１の通信手段と、端末本体の電源投入を検出した場合に、第１の通信手段により機器識別情報送信要求を送信する手段と、機器識別情報送信要求に対して送信された機器識別情報を第１の通信手段により受信する手段と、受信した機器識別情報に基づいて、接続機器動作モードを設定する手段とを備え、携帯情報端末用接続機器は、近距離の無線通信を使用して情報通信を行う第２の通信手段と、端末本体から送信した機器識別情報送信要求を第２の通信手段により受信する手段と、機器識別情報送信要求に応じて、第２の通信手段により端末本体に対して予め内部記憶されている機器識別情報を送信する手段とを備える。【選択図】    図１
2005284434.tif 000002
【特許請求の範囲】
【請求項１】
端末本体と、該端末本体に対して着脱可能な携帯情報端末用接続機器とからなる携帯情報端末であって、
前記端末本体は、
近距離の無線通信を使用して、前記携帯情報端末用接続機器との間において情報通信を行う第１の通信手段と、
端末本体の電源投入を検出した場合に、前記第１の通信手段により前記携帯情報端末用接続機器に対して機器識別情報送信要求を送信する手段と、
前記機器識別情報送信要求に対して前記携帯情報端末用接続機器から送信された機器識別情報を前記第１の通信手段により受信する手段と、
受信した前記機器識別情報に基づいて、接続機器動作モードを設定する手段と
を備え、
前記携帯情報端末用接続機器は、
近距離の無線通信を使用して前記端末本体との間において情報通信を行う第２の通信手段と、
前記端末本体から送信した機器識別情報送信要求を前記第２の通信手段により受信する手段と、
前記機器識別情報送信要求に応じて、前記第２の通信手段により前記端末本体に対して予め内部記憶されている機器識別情報を送信する手段と
を備えたことを特徴とする携帯情報端末。
【請求項２】
前記端末本体は、
受信した前記機器識別情報に基づいて、該端末本体に接続された接続機器を動作させる場合に動作処理プログラムが必要な機器であるか否かを判定する手段と、
前記判定によって、動作処理プログラムが必要と判定された場合に、前記第１の通信手段により前記携帯情報端末用接続機器に対して前記処理プログラム送信要求を送信する手段と、
前記処理プログラム送信要求に対して前記携帯情報端末用接続機器から送信された動作処理プログラムを前記第１の通信手段により受信する手段と
をさらに備え、
前記携帯情報端末用接続機器は、
処理動作プログラムが予め記憶された記憶手段と、
前記端末本体から送信した処理プログラム送信要求を前記第２の通信手段により受信する手段と、
前記処理プログラム送信要求に応じて、前記記憶手段に記憶されている動作処理プログラムを読み出して、前記第２の通信手段により前記端末本体に対して、読み出した動作処理プログラムを送信する手段と
をさらに備えたことを特徴とする請求項１に記載の携帯情報端末。
【請求項３】
前記端末本体は、
前記携帯情報端末用接続機器のそれぞれを動作させる複数の処理プログラムを予め記憶しておく記憶手段と、
受信した前記機器識別情報に基づいて、該端末本体に接続された接続機器を動作させる場合に動作処理プログラムが必要な機器であるか否かを判定する手段と、
前記判定によって、動作処理プログラムが必要と判定された場合に、前記携帯情報端末用接続機器を動作させる処理プログラムを前記記憶手段から選択して読み出す手段と
をさらに備えたことを特徴とする請求項１に記載の携帯情報端末。
【請求項４】
前記端末本体は、無線通信を使用して、業務処理を行う処理サーバとの間で情報通信を行う第３の通信手段をさらに備えたことを特徴とする請求項１に記載の携帯情報端末。
【請求項５】
前記端末本体は、
受信した前記機器識別情報に基づいて、該端末本体に接続された接続機器を動作させる場合に動作処理プログラムが必要な機器であるか否かを判定する手段と、
前記判定によって、動作処理プログラムが必要と判定された場合に、前記第３の通信手段により前記処理サーバに対して処理プログラム送信要求を送信する手段と、
前記処理プログラム送信要求に対して前記処理サーバから送信された動作処理プログラムを前記第３の通信手段により受信する手段と
をさらに備えたことを特徴とする請求項４に記載の携帯情報端末。
【請求項６】
前記携帯情報端末用接続機器は、キーボードであることを特徴とする請求項１に記載の携帯情報端末。
【請求項７】
前記携帯情報端末用接続機器は、バーコードリーダであることを特徴とする請求項１または２に記載の携帯情報端末。
【請求項８】
前記携帯情報端末用接続機器は、プリンタであることを特徴とする請求項１または２に記載の携帯情報端末。
【請求項９】
前記キーボードの各キーには、レストランにおける料理メニューが割り当てられていることを特徴とする請求項６に記載の携帯情報端末。
【請求項１０】
近距離の無線通信を使用して、前記携帯情報端末用接続機器との間において情報通信を行う第１の通信手段を備えた端末本体と、該端末本体に対して着脱可能であり近距離の無線通信を使用して前記端末本体との間において情報通信を行う第２の通信手段を備えた携帯情報端末用接続機器とからなる携帯情報端末における接続機器の接続方法であって、
前記端末本体は、
該端末本体の電源投入を検出した場合に、前記第１の通信手段により前記携帯情報端末用接続機器に対して機器識別情報送信要求を送信する過程と、
前記機器識別情報送信要求に対して前記携帯情報端末用接続機器から送信された機器識別情報を前記第１の通信手段により受信する過程と、
受信した前記機器識別情報に基づいて、接続機器動作モードを設定する過程と
を有し、
前記携帯情報端末用接続機器は、
前記端末本体から送信した機器識別情報送信要求を前記第２の通信手段により受信する過程と、
前記機器識別情報送信要求に応じて、前記第２の通信手段により前記端末本体に対して予め内部記憶されている機器識別情報を送信する過程と
を有することを特徴とする接続機器の接続方法。
【発明の詳細な説明】
【技術分野】
【０００１】
本発明は、接続する機器を容易に変更することが可能な携帯情報端末に関する。
【背景技術】
【０００２】
従来からレストラン、居酒屋、ファーストフード等の外食産業において注文処理を行うハンディ端末が知られている（例えば、特許文献１図１参照）。このハンディ端末は、メニュー毎の注文キーを配置したキーボードを備えており、多種多様な料理メニューの中から所望の注文を容易に行うことができるとともに、無線通信を用いて、注文処理を行う装置との間で通信を行うため、店内のどこでも使用可能である。
【特許文献１】特開２０００−３２２９７５号公報
【発明の開示】
【発明が解決しようとする課題】
【０００３】
ところで、特許文献１に示すハンディ端末は、用途に応じてプリンタやバーコードリーダが一体になったものもある。これは、外食産業等の注文を受ける業務で使用する場合には、飲食物等が付着して接続端子が汚れしまうと動作不良を発生させてしまうため、用途に応じて、端末本体と必要な接続機器を一体にして、接続端子を端末本体の表面に設けないようにするためである。
【０００４】
しかしながら、このような接続機器を一体化させたハンディ端末の本体部分には、共通の装置を使用しているにもかかわらず、必要に応じてプリンタやバーコードリーダが一体となった専用機であったため、製造コストが高くなるという問題がある。また、使用者は、プリンタとバーコードリーダを同時に使用する用途がない場合であってもそれぞれの専用機を１台ずつ購入しなければならず、装置の購入コストが高くなるという問題もある。
【０００５】
本発明は、このような事情に鑑みてなされたもので、接続する機器を容易に変更することが可能な携帯情報端末を提供することを目的とする。
【課題を解決するための手段】
【０００６】
請求項１に記載の発明は、端末本体と、該端末本体に対して着脱可能な携帯情報端末用接続機器とからなる携帯情報端末であって、前記端末本体は、近距離の無線通信を使用して、前記携帯情報端末用接続機器との間において情報通信を行う第１の通信手段と、端末本体の電源投入を検出した場合に、前記第１の通信手段により前記携帯情報端末用接続機器に対して機器識別情報送信要求を送信する手段と、前記機器識別情報送信要求に対して前記携帯情報端末用接続機器から送信された機器識別情報を前記第１の通信手段により受信する手段と、受信した前記機器識別情報に基づいて、接続機器動作モードを設定する手段とを備え、前記携帯情報端末用接続機器は、近距離の無線通信を使用して前記端末本体との間において情報通信を行う第２の通信手段と、前記端末本体から送信した機器識別情報送信要求を前記第２の通信手段により受信する手段と、前記機器識別情報送信要求に応じて、前記第２の通信手段により前記端末本体に対して予め内部記憶されている機器識別情報を送信する手段とを備えたことを特徴とする。
【０００７】
請求項２に記載の発明は、前記端末本体は、受信した前記機器識別情報に基づいて、該端末本体に接続された接続機器を動作させる場合に動作処理プログラムが必要な機器であるか否かを判定する手段と、前記判定によって、動作処理プログラムが必要と判定された場合に、前記第１の通信手段により前記携帯情報端末用接続機器に対して前記処理プログラム送信要求を送信する手段と、前記処理プログラム送信要求に対して前記携帯情報端末用接続機器から送信された動作処理プログラムを前記第１の通信手段により受信する手段とをさらに備え、前記携帯情報端末用接続機器は、処理動作プログラムが予め記憶された記憶手段と、前記端末本体から送信した処理プログラム送信要求を前記第２の通信手段により受信する手段と、前記処理プログラム送信要求に応じて、前記記憶手段に記憶されている動作処理プログラムを読み出して、前記第２の通信手段により前記端末本体に対して、読み出した動作処理プログラムを送信する手段とをさらに備えたことを特徴とする。
【０００８】
請求項３に記載の発明は、前記端末本体は、前記携帯情報端末用接続機器のそれぞれを動作させる複数の処理プログラムを予め記憶しておく記憶手段と、受信した前記機器識別情報に基づいて、該端末本体に接続された接続機器を動作させる場合に動作処理プログラムが必要な機器であるか否かを判定する手段と、前記判定によって、動作処理プログラムが必要と判定された場合に、前記携帯情報端末用接続機器を動作させる処理プログラムを前記記憶手段から選択して読み出す手段とをさらに備えたことを特徴とする。
【０００９】
請求項４に記載の発明は、前記端末本体は、無線通信を使用して、業務処理を行う処理サーバとの間で情報通信を行う第３の通信手段をさらに備えたことを特徴とする。
【００１０】
請求項５に記載の発明は、前記端末本体は、受信した前記機器識別情報に基づいて、該端末本体に接続された接続機器を動作させる場合に動作処理プログラムが必要な機器であるか否かを判定する手段と、前記判定によって、動作処理プログラムが必要と判定された場合に、前記第３の通信手段により前記処理サーバに対して処理プログラム送信要求を送信する手段と、前記処理プログラム送信要求に対して前記処理サーバから送信された動作処理プログラムを前記第３の通信手段により受信する手段とをさらに備えたことを特徴とする。
【００１１】
請求項６に記載の発明は、前記携帯情報端末用接続機器は、キーボードであることを特徴とする。
【００１２】
請求項７に記載の発明は、前記携帯情報端末用接続機器は、バーコードリーダであることを特徴とする。
【００１３】
請求項８に記載の発明は、前記携帯情報端末用接続機器は、プリンタであることを特徴とする。
【００１４】
請求項９に記載の発明は、前記キーボードの各キーには、レストランにおける料理メニューが割り当てられていることを特徴とする。
【００１５】
請求項１０に記載の発明は、近距離の無線通信を使用して、前記携帯情報端末用接続機器との間において情報通信を行う第１の通信手段を備えた端末本体と、該端末本体に対して着脱可能であり近距離の無線通信を使用して前記端末本体との間において情報通信を行う第２の通信手段を備えた携帯情報端末用接続機器とからなる携帯情報端末における接続機器の接続方法であって、前記端末本体は、該端末本体の電源投入を検出した場合に、前記第１の通信手段により前記携帯情報端末用接続機器に対して機器識別情報送信要求を送信する過程と、前記機器識別情報送信要求に対して前記携帯情報端末用接続機器から送信された機器識別情報を前記第１の通信手段により受信する過程と、受信した前記機器識別情報に基づいて、接続機器動作モードを設定する過程とを有し、前記携帯情報端末用接続機器は、前記端末本体から送信した機器識別情報送信要求を前記第２の通信手段により受信する過程と、前記機器識別情報送信要求に応じて、前記第２の通信手段により前記端末本体に対して予め内部記憶されている機器識別情報を送信する過程とを有することを特徴とする。
【発明の効果】
【００１６】
本発明によれば、端末本体と接続機器との間の電気的接続を無線通信によって行うようにしたため、容易に接続機器の着脱を行うことができるという効果が得られる。また、端末本体と接続機器との間を無線通信によって電気的に接続するようにして、端末本体及び接続機器の表面に接続端子を露出させなくともよくなるため、飲食物等が接続端子に付着し動作不良が発生することを防止することができる。また、用途別の携帯情報端末の製品を揃える必要がなくなり、製造コストを低減させることが可能になるという効果が得られる。また、使用者は、用途に応じて必要な装置のみを購入すればよく、装置の購入コストを低減することが可能となる。
【００１７】
また、各接続機器を接続させた場合に端末本体内において必要な処理動作プログラムを各接続機器内に記憶しておき、接続機器が端末本体に接続された場合に接続機器から読み込むようにしたため、接続される可能性のある接続機器の処理動作プログラムを端末本体内に予め記憶しておく必要がなくなり、端末本体の構成を簡単にすることができるという効果が得られる。
【発明を実施するための最良の形態】
【００１８】
以下、本発明の一実施形態による携帯情報端末を図面を参照して説明する。図１は同実施形態の構成を示すブロック図である。この図において、符号１は、携帯情報端末の本体（以下、端末本体と称する）である。符号２は、端末本体１に対して着脱可能なキーボード付のカバーである。符号３は、端末本体１に対して着脱可能なプリンタである。符号４は、端末本体１に対して着脱可能なバーコードリーダである。図１に示すキーボード付きカバー２、プリンタ３及びバーコードリーダ４は、使用者が用途に応じて、いずれか一つを選択して、端末本体１に機械的に装着して使用するものである。符号５は、飲食店等の店内に設置される通信部であり、端末本体１との間で情報通信を行う。符号６は、端末本体１から送信される注文内容等の情報を、通信部５を介して受信し処理する処理サーバである。通信部５及び処理サーバ６は、従来技術のハンディ端末を使用した場合と同一の装置であるため、ここでは詳細な説明を省略する。
【００１９】
次に、端末本体１の詳細な構成について説明する。符号１０は、端末本体１の動作を統括する制御部である。符号１１は、処理サーバ５に接続された通信部５との間で無線通信を確立して情報通信を行う通信部である。符号１２は、料理のメニュー等を選択するための操作部であり、キーボードから構成される。符号１３は、接続機器との間で近距離の無線通信を確立し、情報通信を行う接続通信部である。符号１４は、液晶ディスプレイ等から構成される表示部である。
【００２０】
次に、キーボード付カバー２の詳細な構成について説明する。符号２０は、増設用のキーボードである。符号２１は、キーボード２０において操作されたキーを特定して、操作されたキーを識別できるキー識別情報を出力する処理を行う制御部である。符号２２は、端末本体１との間で近距離の無線通信を確立し、情報通信を行う接続通信部である。
【００２１】
次に、プリンタ３の詳細な構成について説明する。符号３０は、プリンタ３の動作を統括する制御部である。符号３１は、端末本体１との間で近距離の無線通信を確立し、情報通信を行う接続通信部である。符号３２は、用紙に対して印刷を行う印刷部である。符号３３は、印刷部３２において、印刷処理を行う場合に制御部３０内において実行する制御プログラムと、端末本体１からプリンタ３を制御するための処理動作プログラムとが予め記憶されたプログラム記憶部である。プログラム記憶部３３に記憶される処理動作プログラムは、端末本体１からプリンタ３を制御するために端末本体１内の制御部１０において実行するプログラムである。
【００２２】
次に、バーコードリーダ４の詳細な構成について説明する。符号４０は、バーコードリーダ４の動作を統括する制御部である。符号４１は、端末本体１との間で近距離の無線通信を確立し、情報通信を行う接続通信部である。符号４２は、バーコードを光学的に読み取るバーコード読み取り部である。符号４３は、バーコード読み取り部において、バーコード読み取り処理を行う場合に制御部４０内において実行する制御プログラムと、端末本体１からバーコードリーダ４を制御するための処理動作プログラムとが予め記憶されたプログラム記憶部である。プログラム記憶部４３に記憶される処理動作プログラムは、端末本体１からバーコードリーダ４を制御するために端末本体１内の制御部１０において実行するプログラムである。
【００２３】
ここで、図３〜図６を参照して、端末本体１に対して装着する接続機器について説明する。図３は、端末本体１に対して、キーボード付カバー２を装着した状態の外観図である。キーボード付カバー２は、機械的に着脱する着脱部２ａによって端末本体１に装着されている。キーボード付カバー２には、端末本体１が備えている操作部１２のキーの数を増やすために増設キーボード２１を備えている。このキーボード付カバー２を装着した携帯情報端末をレストラン等で使用する場合、端末本体１の操作部１２には、共通の料理メニューを割当てておき、増設キーボード２１には、ランチ時に特有の料理メニューを割り当てて使用する。このように使用すれば、ディナー時に特有の料理メニューを割り当てた別のキーボード付カバー２を装着することにより、時間帯に応じたメニューの注文ミス等を防止することが可能となる。図４は、端末本体１に対して、プリンタ３を装着した状態の外観図である。プリンタ３は、機械的に着脱する着脱部３ａによって端末本体１に装着されている。図５は、端末本体１に対して、バーコードリーダ４を装着した状態の外観図である。バーコードリーダ４は、機械的に着脱する着脱部４ａによって端末本体１に装着されている。図６は、端末本体１に対して、キーボードカバー７を装着した状態の外観図である。キーボードカバー７は、機械的に着脱する着脱部７ａによって端末本体１に装着されており、料理メニューの種類が少ない店舗等で使用する場合に端末本体１に備えられた操作部１２のカバーとして用いるものであり、電気的接続は不要である。
【００２４】
次に、図２を参照して、接続機器が装着された端末本体１と装着した接続機器との間を電気的に接続する動作を説明する。初めに、接続機器としてキーボード付カバー２を端末本体１に装着した場合の動作を説明する。まず、使用者は、端末本体１の電源をＯＮにする（ステップＳ１）。端末本体１の電源が投入されると、制御部１０は、接続機器に対して機器識別情報送信要求を、接続通信部１３を介して送信する（ステップＳ２）。この送信要求は、接続通信部２２が受信する（ステップＳ２１）。そして、接続通信部２２は、受信した機器識別情報送信要求を制御部２１へ受け渡す。これを受けて、制御部２１は、内部に予め設定されている機器識別情報を読み出す（ステップＳ２２）。機器識別情報は、接続機器の種類を一意に識別可能な情報であり、キーボード付カバー２は、「００１０」、プリンタ３は、「００１１」、バーコードリーダ４は、「０１００」というように、各制御部内にスイッチ等でそれぞれ設定されている。続いて、制御部２１は、読み出した機器識別情報を接続通信部２２を介して送信する（ステップＳ２３）。この機器識別情報は、接続通信部１３が受信する（ステップＳ３）。そして、接続通信部１３は、機器識別情報を制御部１０へ受け渡す。
【００２５】
次に、制御部１０は、機器識別情報が受信できたか否かを判定し（ステップＳ４）、受信できた場合、制御部１０は、受信した機器識別情報に基づいて、動作モードを設定する（ステップＳ７）。動作モードの設定は、制御部１０は、機器識別情報が「００１０」である場合に対応する動作モードが予め内部に設定されており、選択的に設定する。また、制御部１０は、受信した機器識別情報に基づいて、装着した接続機器を動作させるのに、端末本体１の制御部１０内で動作する処理動作プログラムが必要な接続機器であるか否かを判定する（ステップＳ８）。この判定は、制御部１０内に機器識別情報毎にプログラムが必要であるか否か予め設定されており、この設定内容を参照することにより判定を行う。キーボード付カバー２には、処理動作プログラムは必要ないため、制御部１０は、処理動作を開始する（ステップＳ１１）。一方、キーボード付カバー２においても処理動作を開始する（ステップＳ２７）。
【００２６】
次に、接続機器としてプリンタ３を端末本体１に装着した場合の動作を説明する。まず、使用者は、端末本体１の電源をＯＮにする（ステップＳ１）。端末本体１の電源が投入されると、制御部１０は、接続機器に対して機器識別情報送信要求を、接続通信部１３を介して送信する（ステップＳ２）。この送信要求は、接続通信部３１が受信する（ステップＳ２１）。そして、接続通信部３１は、受信した機器識別情報送信要求を制御部３０へ受け渡す。これを受けて、制御部３０は、内部に予め設定されている機器識別情報を読み出す（ステップＳ２２）。プリンタ３の機器識別情報は、「００１１」が制御部内に設定されている。続いて、制御部３０は、読み出した機器識別情報を接続通信部３１を介して送信する（ステップＳ２３）。この機器識別情報は、接続通信部１３が受信する（ステップＳ３）。そして、接続通信部１３は、機器識別情報を制御部１０へ受け渡す。
【００２７】
次に、制御部１０は、機器識別情報が受信できたか否かを判定し（ステップＳ４）、受信できた場合、制御部１０は、受信した機器識別情報に基づいて、動作モードを設定する（ステップＳ７）。また、制御部１０は、受信した機器識別情報に基づいて、装着した接続機器を動作させるのに、端末本体１の制御部１０内で動作する処理動作プログラムが必要な接続機器であるか否かを判定する（ステップＳ８）。プリンタ３は、プログラム必要な機器であるため、制御部１０は、接続機器（プリンタ３）に対して処理プログラム送信要求を、接続通信部１３を介して送信する（ステップＳ９）。この送信要求は、接続通信部３１が受信する（ステップＳ２４）。そして、接続通信部３１は、受信した処理プログラム送信要求を制御部３０へ受け渡す。これを受けて、制御部３０は、プログラム記憶部３３に記憶されている処理動作プログラムを読み出す（ステップＳ２５）。続いて、制御部３０は、読み出した処理動作プログラムを接続通信部３１を介して送信する（ステップＳ２６）。この処理動作プログラムは、接続通信部１３が受信し、制御部１０へロードする（ステップＳ１０）。そして、制御部１０は、ロードしたプリンタ３用の処理動作プログラムに基づいて処理動作を開始する（ステップＳ１１）。一方、プリンタ３は、プログラム記憶部３３に記憶されている制御プログラムを読み出し、制御部３０内にロードして処理動作を開始する（ステップＳ２７）。  
【００２８】
次に、接続機器としてバーコードリーダ４を端末本体１に装着した場合の動作を説明する。まず、使用者は、端末本体１の電源をＯＮにする（ステップＳ１）。端末本体１の電源が投入されると、制御部１０は、接続機器に対して機器識別情報送信要求を、接続通信部１３を介して送信する（ステップＳ２）。この送信要求は、接続通信部４１が受信する（ステップＳ２１）。そして、接続通信部４１は、受信した機器識別情報送信要求を制御部４０へ受け渡す。これを受けて、制御部４０は、内部に予め設定されている機器識別情報を読み出す（ステップＳ２２）。バーコードリーダ４の機器識別情報は、「０１００」が制御部内に設定されている。続いて、制御部４０は、読み出した機器識別情報を接続通信部４１を介して送信する（ステップＳ２３）。この機器識別情報は、接続通信部１３が受信する（ステップＳ３）。そして、接続通信部１３は、機器識別情報を制御部１０へ受け渡す。
【００２９】
次に、制御部１０は、機器識別情報が受信できたか否かを判定し（ステップＳ４）、受信できた場合、制御部１０は、受信した機器識別情報に基づいて、動作モードを設定する（ステップＳ７）。また、制御部１０は、受信した機器識別情報に基づいて、装着した接続機器を動作させるのに、端末本体１の制御部１０内で動作する処理動作プログラムが必要な接続機器であるか否かを判定する（ステップＳ８）。バーコードリーダ４は、プログラム必要な機器であるため、制御部１０は、接続機器（バーコードリーダ４）に対して処理プログラム送信要求を、接続通信部１３を介して送信する（ステップＳ９）。この送信要求は、接続通信部４１が受信する（ステップＳ２４）。そして、接続通信部４１は、受信した処理プログラム送信要求を制御部４０へ受け渡す。これを受けて、制御部４０は、プログラム記憶部４３に記憶されている処理動作プログラムを読み出す（ステップＳ２５）。続いて、制御部４０は、読み出した処理動作プログラムを接続通信部４１を介して送信する（ステップＳ２６）。この処理動作プログラムは、接続通信部１３が受信し、制御部１０へロードする（ステップＳ１０）。そして、制御部１０は、ロードしたバーコードリーダ４用の処理動作プログラムに基づいて処理動作を開始する（ステップＳ１１）。一方、バーコードリーダ４は、プログラム記憶部４３に記憶されている制御プログラムを読み出し、制御部４０内にロードして処理動作を開始する（ステップＳ２７）。
【００３０】
次に、接続機器として図６に示すキーボードカバー７を端末本体１に装着した場合の動作を説明する。まず、使用者は、端末本体１の電源をＯＮにする（ステップＳ１）。端末本体１の電源が投入されると、制御部１０は、接続機器に対して機器識別情報送信要求を、接続通信部１３を介して送信する（ステップＳ２）。この送信要求は、受信する機器がないため、応答は返ってこない。制御部１０は、機器識別情報送信要求を送信してかた所定時間（例えば、５秒）内に機器識別情報が受信できた否かを判定する（ステップＳ４）。そして、受信できなかった場合、制御部１０は、確認メッセージを表示部１４へ表示する（ステップＳ５）。このメッセージは、例えば、「接続機器は、キーボードカバーですか？」と表示する。これに対して使用者は、操作部１２から「ＹＥＳ」または「ＮＯ」の操作を行う。これを受けて、制御部１０は、このメッセージに対する回答を操作部１２より読み取る。そして、回答が「ＮＯ」であった場合は、装着した接続機器の不具合である再度ステップＳ２へ戻り、機器識別情報送信要求を送信する。一方、回答が「ＹＥＳ」であった場合、制御部１０は、機器識別情報を「０００１」に設定し、設定した機器識別情報に基づいて、動作モードを設定する（ステップＳ７）。また、制御部１０は、受信した機器識別情報に基づいて、装着した接続機器を動作させるのに、端末本体１の制御部１０内で動作する処理動作プログラムが必要な接続機器であるか否かを判定する（ステップＳ８）。キーボードカバー７には、接続機器がないため、制御部１０は、処理動作を開始する（ステップＳ１１）。
【００３１】
次に、図７を参照して、端末本体１とキーボード付カバー２の他の実施形態を説明する。図７は、他の実施形態における端末本体１とキーボード付カバー２の外観を示す外観図である。この図において、符号１は、端末本体である。符号１５は、操作部１２と表示部１４を兼ねたタッチパネルであり、ここにキーボードの画像が表示され、表示されているキーをタッチすると、キーボードを押下した操作と同等の操作をしたことになる。符号２は、キーボード付カバーであり、カバーの裏面にキーボード２０が配置されている。符号１３は、接続通信部である。この接続通信部１３の対向する位置に（図７においては隠れている）、キーボード付カバー２の接続通信部２２が設けられている。図７に示す端末本体１とキーボード付カバー２とは公知の方法で着脱可能に構成されている。
【００３２】
このように、端末本体と接続機器との間を無線通信によって電気的に接続し、端末本体及び接続機器の表面に接続端子を露出させる必要がなくなるため、飲食物等が接続端子に付着し動作不良が発生することを防止することができる。また、用途別の携帯情報端末の製品を揃える必要がなくなり、製造コストを低減させることが可能になる。また、各接続機器を接続させた場合に端末本体内において必要な処理動作プログラムを各接続機器内に記憶しておき、接続機器が端末本体に接続された場合に接続機器から読み込むようにしたため、接続される可能性のある接続機器の処理動作プログラムを端末本体内に予め記憶しておく必要がなくなり、端末本体の構成を簡単にすることができる。
【００３３】
なお、前述した説明では、接続機器の動作処理プログラムを各接続機器内に記憶しておうようにしたが、図２に示すステップＳ９の送信要求を通信部１１により処理サーバ６へ送信し、処理サーバ６から対象の処理プログラムを受信するようにしてもよい。このとき、送信要求には、機器識別情報が含まれる。この送信要求を受けた処理サーバ６は、内部に予め記憶されている複数の動作処理プログラムの中から、受信した機器識別情報に該当する動作処理プログラムを読み出して、端末本体１へ送信する。このようにすれば、端末本体１及び接続機器内に動作処理プログラムを記憶しておく必要がなくなり、端末本体と接続機器の構成を簡単にすることができる。
【００３４】
また、各動作処理プログラム（バーコードリーダ用、プリンタ用）を端末本体１内に予め記憶しておき、受信した機器識別情報に基づいて対象の動作プログラムを読み出すようにしてもよい。
【００３５】
また、図１における処理部の機能を実現するためのプログラムをコンピュータ読み取り可能な記録媒体に記録して、この記録媒体に記録されたプログラムをコンピュータシステムに読み込ませ、実行することにより端末本体と接続機器の接続処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３７】
【図１】本発明の一実施形態の構成を示すブロック図である。
【図２】図１に示す装置の動作を示すフローチャートである。
【図３】携帯情報端末の外観を示す外観図である。
【図４】携帯情報端末の外観を示す外観図である。
【図５】携帯情報端末の外観を示す外観図である。
【図６】携帯情報端末の外観を示す外観図である。
【図７】他の実施形態における携帯情報端末の外観を示す外観図である。
【符号の説明】
【００３８】
１・・・端末本体、
１０・・・制御部、
１１・・・通信部、
１２・・・操作部、
１３・・・接続通信部、
２・・・キーボード付カバー、
２０・・・キーボード、
２１・・・制御部、
２２・・・接続通信部、
３・・・プリンタ、
３０・・・制御部、
３１・・・接続通信部、
３２・・・印刷部、
３３・・・プログラム記憶部、
４・・・バーコードリーダ、
４０・・・制御部、
４１・・・接続通信部、
４２・・・バーコード読み取り部、
４３・・・プログラム記憶部、
５・・・通信部、
６・・・処理サーバ
【図１】
2005284434.tif 000003
【図２】
2005284434.tif 000004
【図３】
2005284434.tif 000005
【図４】
2005284434.tif 000006
【図５】
2005284434.tif 000007
【図６】
2005284434.tif 000008
【図７】
2005284434.tif 000009